【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
（ａ）燃料噴射圧に相当する高圧燃料を蓄圧する蓄圧容器と、
（ｂ）エンジンにより駆動されるカム、およびこのカムにより駆動されてシリンダ内を往復摺動するプランジャを有し、前記プランジャが往復運動することにより、吸入した燃料を加圧して前記蓄圧容器内に圧送する燃料供給ポンプと、
（ｃ）前記エンジンの各気筒毎に搭載されて、前記エンジンの各気筒内に、前記蓄圧容器内に蓄圧された高圧燃料を噴射供給するインジェクタと、
（ｄ）前記燃料供給ポンプより吐出される燃料圧を検出する燃料圧検出手段と、
（ｅ）この燃料圧検出手段によって検出された燃料圧の変化量が所定値以上に大きくなった際に、前記燃料供給ポンプのカム位相がポンプ圧送開始位相にあることを検出する圧送開始位相検出手段と、
（ｆ）前記燃料圧検出手段によって検出された燃料圧の変化量が所定値以上に大きくなった後、前記燃料圧の変化量が所定値以下に小さくなった際に、前記燃料供給ポンプのカム位相がポンプ圧送終了位相にあることを検出する、あるいは前記燃料供給ポンプのエンジン組み付け上の幾何学的なポンプ圧送終了位相を記憶する圧送終了位相検出手段と、
（ｇ）前記ポンプ圧送開始位相および前記ポンプ圧送終了位相を、以降のエンジン制御に反映させるエンジン制御手段とを備えた蓄圧式燃料噴射装置。
【請求項２】
請求項１に記載の蓄圧式燃料噴射装置において、
前記ポンプ圧送開始位相とは、今回よりも所定時間前に前記燃料圧検出手段より取り込んだ前回の燃料圧と前回よりも所定時間後に前記燃料圧検出手段より取り込んだ今回の燃料圧との圧力偏差が第１所定値以上の時のカム位相であることを特徴とする蓄圧式燃料噴射装置。
【請求項３】
請求項２に記載の蓄圧式燃料噴射装置において、
前記ポンプ圧送終了位相とは、今回よりも所定時間前に前記燃料圧検出手段より取り込んだ前回の燃料圧と前回よりも所定時間後に前記燃料圧検出手段より取り込んだ今回の燃料圧との圧力偏差が前記第１所定値よりも小さい第３所定値以下の時のカム位相であることを特徴とする蓄圧式燃料噴射装置。
【請求項４】
請求項１ないし請求項３のうちいずれかに記載の蓄圧式燃料噴射装置において、
前記エンジン制御手段は、前記エンジンの運転条件に応じて指令噴射量および指令噴射時期を算出する噴射量・噴射時期決定手段と、
前記燃料圧と前記指令噴射量とから指令噴射期間を算出する噴射期間決定手段と前記ポンプ圧送開始位相と前記ポンプ圧送終了位相と前記指令噴射期間と前記指令噴射時期とから、前記燃料供給ポンプのポンプ圧送期間と前記インジェクタの噴射期間とが重複する重複期間を算出する重複期間算出手段とを備えたことを特徴とする蓄圧式燃料噴射装置。
【請求項５】
請求項１ないし請求項３のうちいずれかに記載の蓄圧式燃料噴射装置において、
前記エンジン制御手段は、前記エンジンの運転条件に応じて指令噴射量および指令噴射時期を算出する噴射量・噴射時期決定手段と、
前記燃料圧と前記指令噴射量とから指令噴射期間を算出する噴射期間決定手段と、
噴射指令開始から実際に噴射が開始されるまでの噴射開始遅れを算出する噴射開始遅れ算出手段と、
噴射指令終了から実際に噴射が終了するまでの噴射終了遅れを算出する噴射終了遅れ算出手段と、
前記噴射時期と前記噴射開始遅れから算出される実噴射時期と、
前記噴射期間、前記噴射開始遅れ、および前記噴射終了遅れとから算出される実噴射期間と、
前記ポンプ圧送開始位相と前記ポンプ圧送終了位相とから、前記燃料供給ポンプのポンプ圧送期間と前記インジェクタの実噴射期間とが重複する重複期間を算出する重複期間算出手段と、を備えたことを特徴とする蓄圧式燃料噴射装置。
【請求項６】
請求項４または請求項５に記載の蓄圧式燃料噴射装置において、
前記エンジン制御手段は、前記重複期間に応じて前記指令噴射期間を補正する噴射期間補正手段を備え、
前記噴射期間補正手段は、前記燃料圧と前記重複期間とから噴射期間補正量を算出する補正量算出手段を有し、
前記指令噴射期間と前記噴射期間補正量とから補正後の噴射期間を算出することを特徴とする蓄圧式燃料噴射装置。
【請求項７】
請求項１ないし請求項３のうちいずれかに記載の蓄圧式燃料噴射装置において、
前記エンジン制御手段は、前記燃料供給ポンプのカムプロフィールまたは前記カム位相または前記プランジャ位置と前記ポンプ圧送開始位相と前記ポンプ圧送終了位相とから、前記燃料供給ポンプより前記蓄圧容器内に圧送される燃料の圧送量を算出するポンプ圧送量算出手段を備えたことを特徴とする蓄圧式燃料噴射装置。
【請求項８】
請求項７に記載の蓄圧式燃料噴射装置において、
前記エンジン制御手段は、前記エンジンの運転条件に応じて指令噴射量を算出する噴射量決定手段と、
前記燃料圧と前記指令噴射量とから指令噴射期間を算出する噴射期間決定手段と、
燃料温度を検出する燃料温度検出手段と、
前記燃料圧と前記燃料温度とからインジェクタ静リーク量を算出する静リーク量算出手段と、
前記燃料圧と前記指令噴射期間とからインジェクタ動リーク量を算出する動リーク量算出手段と、
前記燃料の圧送量と前記指令噴射量と前記インジェクタ静リーク量と前記インジェクタ動リーク量とから、高圧配管経路内からの燃料漏れ量を算出する燃料漏れ量算出手段とを備えたことを特徴とする蓄圧式燃料噴射装置。
【請求項９】
請求項８に記載の蓄圧式燃料噴射装置において、
前記エンジン制御手段は、前記燃料漏れ量が所定値以上の時に、安全性を高める噴射量制御またはポンプ制御を行なうことを特徴とする蓄圧式燃料噴射装置。
【請求項１０】
請求項１ないし請求項９のうちいずれかに記載の蓄圧式燃料噴射装置において、
前記燃料圧検出手段は、燃料圧に応じた電気信号を出力する燃料圧センサであり、
前記圧送開始位相検出手段、前記圧送終了位相検出手段および前記エンジン制御手段の機能を含んで構成されるコンピュータを内蔵した電子制御ユニットを備え、
前記電子制御ユニットは、前記燃料圧センサより出力される電気信号のうち変化量の小さい信号のみを前記コンピュータに入力することが可能なローパスフィルタ、および前記燃料圧センサより出力される電気信号のうち変化量の大きい信号のみを前記コンピュータに入力することが可能なハイパスフィルタを有することを特徴とする蓄圧式燃料噴射装置。
【請求項１１】
（ａ）燃料噴射圧に相当する高圧燃料を蓄圧する蓄圧容器と、
（ｂ）エンジンの出力軸により駆動されるカム、およびこのカムにより駆動されてシリンダ内を往復摺動するプランジャを有し、前記プランジャが往復運動することにより、吸入した燃料を加圧して前記蓄圧容器内に圧送する燃料供給ポンプと、
（ｃ）前記エンジンの各気筒毎に搭載されて、前記エンジンの各気筒内に、前記蓄圧容器内に蓄圧された高圧燃料を噴射供給するインジェクタと、
（ｄ）前記燃料供給ポンプより吐出される燃料圧を検出する燃料圧検出手段と、
（ｅ）この燃料圧検出手段によって検出された燃料圧の変化量が所定値以上に大きくなった後、前記燃料圧の変化量が所定値以下に小さくなった際に、前記燃料供給ポンプのカム位相がポンプ圧送終了位相にあることを検出する圧送終了位相検出手段と、
（ｆ）前記エンジンの出力軸の回転角度と前記燃料供給ポンプのカム位相との関係を予め求めて作成したポンプ圧送終了位相の基準位置を記憶する圧送終了位相記憶手段と、
（ｇ）前記圧送終了位相検出手段によって検出されたポンプ圧送終了位相の検出位置と前記圧送終了位相記憶手段によって記憶されているポンプ圧送終了位相の基準位置との位相差を算出する位相差算出手段とを備えた蓄圧式燃料噴射装置。
【手続補正２】
【補正対象書類名】明細書
【補正対象項目名】００１１
【補正方法】変更
【補正の内容】
【００１１】
請求項４に記載の発明によれば、圧送開始位相検出手段によって検出されたポンプ圧送開始位相と圧送終了位相検出手段によって検出されたポンプ圧送終了位相と噴射期間決定手段によって設定された指令噴射期間と噴射量・噴射時期決定手段によって設定された指令噴射時期とから、ポンプ圧送期間と噴射期間との重複期間を精度良く算出することができる。
請求項５に記載の発明によれば、噴射指令開始から実際に噴射が開始されるまでの噴射開始遅れ、および、噴射指令終了から実際に噴射が終了するまでの噴射終了遅れを算出し、この算出値に基づいて、実噴射時期、および実噴射期間を算出している。この実噴射時期、および実噴射期間に基づく、燃料供給ポンプのポンプ圧送期間とインジェクタの実噴射期間との重複する重複期間算出は、より高精度の算出とすることができる。